(57)【特許請求の範囲】
【請求項１】
水平方向にインライン配列された３つの陰極、制御電極、加速電極、集束電極及び最終加速電極を具備するカラー受像管装置の組立て方法であって、
前記制御電極に設けられたインライン配列された３つの矩形の電子ビーム透過孔のうち少なくとも外側の２つの孔に位置規制ピンを係合させ、かつ、前記位置規制ピンの外周部が前記電子ビーム透過孔の前記インライン配列方向に直交する内側又は外側の辺のうち何れかの辺及び前記インライン配列方向に平行な２辺とそれぞれ接し、前記制御電極の位置規制を行ない、
前記電子ビーム透過孔と前記位置規制ピンとが係合した状態において、前記電子ビーム透過孔の辺と前記位置規制ピンとが係合している部分のうち少なくとも一箇所以上において、前記位置規制ピンの外周部と接する辺と前記位置規制ピンの外周部との間に空間を形成するように前記位置規制ピンの外周部に凹部が形成されており、
前記空間は、前記電子ビーム透過孔の各辺の中央から各辺の長さの１０％以上の部分に形成されていることを特徴とするカラー受像管装置の組立て方法。
【請求項２】
水平方向にインライン配列された３つの陰極、制御電極、加速電極、集束電極及び最終加速電極を具備するカラー受像管装置の前記制御電極に設けられたインライン配列された３つの矩形の電子ビーム透過孔のうち少なくとも外側の２つの孔に係合し、かつ、前記その外周部が前記電子ビーム透過孔の前記インライン配列方向に直交する内側又は外側の辺のうち何れかの辺及び前記インライン配列方向に平行な２辺とそれぞれ接する位置規制ピンを有し、
前記位置規制ピンは、前記電子ビーム透過孔と係合した状態において、前記電子ビーム透過孔の辺と係合している部分のうち少なくとも一箇所以上において、前記位置規制ピンの外周部と接する辺と前記位置規制ピンの外周部との間に空間を形成するように、その外周部に凹部が形成されており、
前記凹部は、前記電子ビーム透過孔の各辺の中央から各辺の長さの１０％以上の部分に形成されていることを特徴とするカラー受像管装置の組立て装置。
【発明の詳細な説明】
【０００１】
【産業上の利用分野】
本発明は、カラー受像管装置、特に複数の陰極が一直線上にインライン配列された構造のカラー受像管装置の電子銃部分の組立方法及び組立て装置に関するものである。
【０００２】
【従来の技術】
カラー受像管装置におけるインライン型電子銃の一般的な構成を図１７に示す。図１７に示すように、カラー受像管装置のインライン型電子銃は、水平方向にインライン配列された複数（例えば３つ）の陰極１８、制御電極３、加速電極１２、集束電極１３、最終加速電極１４で構成されている。制御電極３から最終加速電極１４までの電子銃の電極部の組立てを行うために、位置規制ピン１を具備する組立て装置（治具）が用いられる。一般に、電子銃を組立てるための組立て装置には、位置規制ピンが２本のものと３本方式のものがあり、３本の方式のものを図１５に示す。なお、２本の方式のものは、図１５における中央の位置規制ピンがないものである。この組立て装置の位置規制ピン１に、各電極部品の電子ビーム透過孔を係合させ、かつ、これら電極部品及びスペーサを重ねあわせ、その状態でガラス（図示せず）により固着する。その結果、カラー受像管装置の電子銃の電極部分が完成する。
【０００３】
次に、各電極のうち、特に制御電極の位置規制をおこなうための、従来の位置規制ピン１と制御電極の矩形の電子ビーム透過孔４の関係を図１６に示す。図１６に示すように、制御電極の電子ビーム透過孔４の各辺と位置規制ピン１の外周部とは、それぞれ、各辺のほぼ中央部で接触し、かつ位置規制ピン１は電子ビーム透過孔４の４辺の全てを規制している。これは、位置規制方法が位置規制ピンを３本使用する方式も２本使用する方式も同様である。
【０００４】
【発明が解決しようとする課題】
制御電極の電子ビーム透過孔４の部分は位置規制ピン１により４辺とも規制されているため、ガラス固着後、完成した電極部分を組立て装置（位置規制ピン）から取り外す際、制御電極の板厚が薄い場合や電子ビーム透過孔４の大きさが小さい場合に、電子ビーム透過孔４の各辺の端面部分に力が加わり、変形を生じるおそれがある。また、接触部分が電子ビーム透過孔４の各辺の中央部にあるため、変形量が多い。そのため、電子ビーム透過孔の変形した電子銃を組込んだカラー受像管装置において、形成された電界レンズに歪みが生じ、画質を低下させるという問題点を有していた。また、電子ビーム透過孔の変形が一様ではないため、電子銃特性がばらつくという問題点も有していた。さらに、制御電極部の位置規制ピンは他の部分に比べ細くなっているため、制御電極との接触により位置規制ピンが折損するおそれがあるという問題点も有していた。
【０００５】
本発明は上記従来例の問題点を解決するためになされたものであり、カラー受像管装置の電子銃部分の組立てにおいて、制御電極の位置規制ピンと電子ビーム透過孔の各辺の接触による電子ビーム透過孔の変形を低減するとともに、位置規制ピンの折損を防止したカラー受像管装置の組立て方法及び組立て装置を提供することを目的としている。
【０００６】
【課題を解決するための手段】
上記目的を達成するため、本発明のカラー受像管装置の組立て方法は、水平方向にインライン配列された３つの陰極、制御電極、加速電極、集束電極及び最終加速電極を具備するカラー受像管装置の組立て方法であって、前記制御電極に設けられたインライン配列された３つの矩形の電子ビーム透過孔のうち少なくとも外側の２つの孔に位置規制ピンを係合させ、かつ、前記位置規制ピンの外周部が前記電子ビーム透過孔の前記インライン配列方向に直交する内側又は外側の辺のうち何れかの辺及び前記インライン配列方向に平行な２辺とそれぞれ接し、前記制御電極の位置規制を行ない、前記電子ビーム透過孔と前記位置規制ピンとが係合した状態において、前記電子ビーム透過孔の辺と前記位置規制ピンとが係合している部分のうち少なくとも一箇所以上において、前記位置規制ピンの外周部と接する辺と前記位置規制ピンの外周部との間に空間を形成するように前記位置規制ピンの外周部に凹部が形成されており、前記空間は、前記電子ビーム透過孔の各辺の中央から各辺の長さの１０％以上の部分に形成されている。
【０００９】
また、本発明の別のカラー受像管装置の組立て方法は、水平方向にインライン配列された３つの陰極、制御電極、加速電極、集束電極及び最終加速電極を具備するカラー受像管装置の組立て方法であって、前記制御電極に設けられたインライン配列された３つの矩形の電子ビーム透過孔のうち少なくとも外側の２つの孔に位置規制ピンを係合させ、かつ、前記位置規制ピンの外周部が前記電子ビーム透過孔の各辺の少なくとも一辺とその端部近傍において接し、前記制御電極の位置規制を行う。
【００１０】
一方、本発明のカラー受像管装置の組立て装置は、水平方向にインライン配列された３つの陰極、制御電極、加速電極、集束電極及び最終加速電極を具備するカラー受像管装置の前記制御電極に設けられたインライン配列された３つの矩形の電子ビーム透過孔のうち少なくとも外側の２つの孔に係合し、かつ、前記その外周部が前記電子ビーム透過孔の前記インライン配列方向に直交する内側又は外側の辺のうち何れかの辺及び前記インライン配列方向に平行な２辺とそれぞれ接する位置規制ピンを有し、前記位置規制ピンは、前記電子ビーム透過孔と係合した状態において、前記電子ビーム透過孔の辺と係合している部分のうち少なくとも一箇所以上において、前記位置規制ピンの外周部と接する辺と前記位置規制ピンの外周部との間に空間を形成するように、その外周部に凹部が形成されており、前記凹部は、前記電子ビーム透過孔の各辺の中央から各辺の長さの１０％以上の部分に形成されている。
【００１３】
また、本発明の別のカラー受像管装置の組立て装置は、水平方向にインライン配列された３つの陰極、制御電極、加速電極、集束電極及び最終加速電極を具備するカラー受像管装置の前記制御電極に設けられたインライン配列された３つの矩形の電子ビーム透過孔のうち少なくとも外側の２つの孔に係合し、かつ、その外周部が前記電子ビーム透過孔の各辺の少なくとも一辺とその端部近傍において接する位置規制ピンを有する。
【００１４】
【作用】
以上のように構成された本発明のカラー受像管装置の組立て方法又は組立て装置によれば、制御電極に設けられたインライン配列された３つの矩形の電子ビーム透過孔の３つ全部又は外側の２つの孔に位置規制ピンを係合させ、かつ、位置規制ピンの外周部を電子ビーム透過孔の各辺のうち３辺のみに接触させ、インライン配列方向に直交する内側又は外側の辺のうち何れかの辺とは接触させないように構成したので、完成した電極部分を組立て装置（位置規制ピン）から取り外す際、位置規制ピンが電子ビーム透過孔の接触していない辺側に逃げ、電子ビーム透過孔の各辺に加わる力を低減させる。そのため、制御電極の板厚が薄い場合や電子ビーム透過孔の大きさが小さい場合、例えば制御電極の電子ビーム透過孔の短辺の長さが０．５ｍｍ以下、孔部分の板厚が０．０８ｍｍ以下のような場合であっても、電子ビーム透過孔の各辺に変形を生じるおそれが低減され、仮に変形を生じたとしてもその変形量は少ない。
【００１５】
その結果、電子ビーム透過孔の変形した電子銃を組込んだカラー受像管装置において、形成された電界レンズの歪みはきわめて小さく、画質の低下はほとんど生じない。また、電子ビーム透過孔の変形がなく、又はきわめて小さいため、電子銃特性が安定する。さらに、制御電極部の位置規制ピンが他の部分に比べ細くなっていても、制御電極との接触の際、位置規制ピンに係る力が小さいため、位置規制ピンが折損することもない。
【００１６】
また、電子ビーム透過孔と位置規制ピンとが係合した状態において、電子ビーム透過孔の辺と位置規制ピンとが係合している部分うち少なくとも一箇所以上において、各辺と位置規制ピンの外周部との間に空間を形成するように位置規制ピンの外周部に凹部を形成したので、各辺と位置規制ピンとが電子ビーム透過孔の各辺の周辺で接触し、仮に電子ビーム透過孔が変形したとしてもその変形量は少ない。
【００１７】
【実施例】
本発明のカラー受像管装置の組立て方法及び組立て装置の第１の実施例を図面を参照しつつ説明する。図１は、第１の実施例における位置規制ピン１と制御電極３の孔形の電子ビーム透過孔４の係合状態を、位置規制ピン１の軸に直交する方向から見た図である。図１に示すように、制御電極３の矩形状の電子ビーム透過孔４に対し、位置規制ピン１は辺４ｂに対向する面が略平面であり、他の３辺４ａ、４ｃ及び４ｄに対向する面が曲面である。すなわち、位置決めピン１は、その外周部が電子ビーム透過孔４のインライン配列方向に直交する内側又は外側の辺のうち何れかの辺４ａ及びインライン配列方向に平行な２辺４ｃ及び４ｄの３辺とそれぞれ接し、他の辺４ｂとは接触しないような形状に構成されている。なお、本実施例に係るカラー受像管装置の組立装置は、図１５に示す従来の組立て装置の位置規制ピン１を図１に示す位置規制ピンに交換したものである。
【００１８】
図２及び図３は、それぞれ、制御電極３に設けられたインライン配列された３つの電子ビーム透過孔４の外側の２つの孔に位置規制ピン１を係合させた状態を示し、図２は位置規制ピン１の外周部が電子ビーム透過孔４のインライン配列方向に直交する内側辺と接触しない場合、図３は位置規制ピン１の外周部が電子ビーム透過孔４のインライン配列方向に直交する外側辺と接触しない場合である。このような構成により、制御電極３のインライン配列方向の位置規制を、外側の２つの電子ビーム透過孔４のインライン配列方向に直交する内側又は外側の辺４ａで行うことができる。また、電子ビーム透過孔４のインライン配列方向に直交する外側又は内側の辺４ｂの近傍に空間が形成されるので、電子銃組立時の制御電極３の挿入及び取り出しの際、位置規制ピン１が電子ビーム透過孔４の接触していない辺４ｂ側に逃げ、電子ビーム透過孔４の各辺４ａ〜４ｄに加わる力が低減される。また、位置規制ピン１と制御電極３の電子ビーム透過孔４の各辺４ａ〜４ｄの接触点又は接触面積が少なくなるため、位置規制ピン１と電子ビーム透過孔４の接触による電子ビーム透過孔４の変形を防止し又は変形量を低減させることができる。
【００１９】
次に、本発明のカラー受像管装置の組立て方法及び組立て装置の第２の実施例を図面を参照しつつ説明する。図４は、第２の実施例における位置規制ピン１と制御電極３の孔形の電子ビーム透過孔４の係合状態を、位置規制ピン１の軸に直交する方向から見た図である。図４に示すように、制御電極３の矩形状の電子ビーム透過孔４に対し、位置規制ピン１は、その外周部が電子ビーム透過孔４の各辺４ａ〜４ｄとそれぞれ端部近傍においてのみ接触するように、各辺４ａ〜４ｄの中央部近傍と対向する部分に凹部６及び７が形成されている。なお、本実施例に係るカラー受像管装置の組立装置は、図１５に示す従来の組立て装置の位置規制ピン１を図４に示す位置規制ピンに交換したものである。
【００２０】
例えば、電子ビーム透過孔４の頂点５は２つの辺４ａと４ｄにより構成されているため、力が加わった時の変形に対して強い。これに対して、各辺の中央部は一の辺（例えば、辺４ｄ）によってのみ構成されるため、外力に対して弱い。従って、第２の実施例の場合、位置規制ピン１と電子ビーム透過孔４の各辺とが、各辺の端部近傍、すなわち頂点５の近傍で接触するため、仮に位置規制ピン１と電子ビーム透過孔４の各辺との間に力が加わったとしても、中央部近傍で接触する従来例と比較して、接触点近傍の機械的強度が高いため、変形量が少なくなる。
【００２１】
次に、電子ビーム透過孔４における位置規制ピン１との接点による変形量の差を計算した結果を図１９に示す。この力を加えた点（接触点）は、図１８に示すように、内側は各辺の中央部から辺の長さに対して１０％の位置、外側は中央部から同じく９０％の位置である。計算のモデルは、電子ビーム透過孔４の寸法を０．３ｍｍ×０．４ｍｍ、板厚０．０７ｍｍ、材質はステンレスとした。パラメータ（横軸）は各接触点に加える力であり、この力に対する変形量（縦軸）を算出した。図１９に示す計算結果より、電子ビーム透過孔４と位置規制ピン１との接触点を内側に設定した場合より、外側に設定した場合のほうが変形量が少ないことが判る。
【００２２】
次に、本発明のカラー受像管装置の組立て方法及び組立て装置の第３の実施例を図面を参照しつつ説明する。図５は、第３の実施例における位置規制ピン１と制御電極３の孔形の電子ビーム透過孔４の係合状態を、位置規制ピン１の軸に直交する方向から見た図である。この位置規制ピン１は、位置規制ピン１を３本使用する方式のもののうち、その外側の２本に関する。図５に示すように、位置規制ピン１は、第１の実施例と同様に、辺４ｂに対向する部分が略平面であり、他の辺４ａ、４ｃ及び４ｄに対向する部分は、第２の実施例と同様に、その外周部が電子ビーム透過孔４の各辺４ａ、４ｃ及び４ｄとそれぞれ端部近傍においてのみ接触するように、各辺４ａ、４ｃ及び４ｄの中央部近傍と対向する部分に凹部６及び７が形成されている。なお、本実施例に係るカラー受像管装置の組立装置は、図１５に示す従来の組立て装置の位置規制ピン１を図５に示す位置規制ピンに交換したものである。
【００２３】
このように構成により、第１の実施例と同様に、制御電極３のインライン配列方向の位置規制を、外側の２つの電子ビーム透過孔４のインライン配列方向に直交する内側又は外側の辺４ａで行うことができる。また、電子ビーム透過孔４のインライン配列方向に直交する外側又は内側の辺４ｂの近傍に空間が形成されるので、電子銃組立時の制御電極３の挿入及び取り出しの際、位置規制ピン１が電子ビーム透過孔４の接触していない辺４ｂ側に逃げ、電子ビーム透過孔４の各辺４ａ〜４ｄに加わる力が低減される。また、位置規制ピン１と制御電極３の電子ビーム透過孔４の各辺４ａ〜４ｄの接触点又は接触面積が少なくなるため、位置規制ピン１と電子ビーム透過孔４の接触による電子ビーム透過孔４の変形を防止し又は変形量を低減させることができる。さらに、第２の実施例と同様に、位置規制ピン１と電子ビーム透過孔４の各辺４ａ、４ｃ及び４ｄとが、各辺の端部近傍で接触するため、仮に位置規制ピン１と電子ビーム透過孔４の各辺との間に力が加わったとしても、中央部近傍で接触する従来例と比較して、接触点近傍の機械的強度が高いため、変形量が少なくなる。
【００２４】
なお、位置規制ピン１の断面形状は、図６から図８に示すような形状であっても同様な効果が得られる。図６は、電子ビーム透過孔４のインライン配列方向に平行な２辺と対向する部分が曲面であり、インライン配列方向に直交する２辺のうち非接触面が略平面であり、接触面に凹部が形成された例を示す。図７は、電子ビーム透過孔４のインライン配列方向に平行な２辺と対向する部分に凹部を形成し、インライン配列方向に直交する２辺のうち非接触面が略平面であり、接触面が曲面である例を示す。図８は、電子ビーム透過孔４のインライン配列方向に平行な２辺と対向する部分に凹部を形成し、インライン配列方向に直交する２辺のうち非接触面が略平面であり、接触面も平面である例を示す。
【００２５】
次に、本発明のカラー受像管装置の組立て方法及び組立て装置の第４の実施例を図面を参照しつつ説明する。図９から図１１は、それぞれ第４の実施例における位置規制ピン１と制御電極３の孔形の電子ビーム透過孔４の係合状態を、位置規制ピン１の軸に直交する方向から見た図である。この位置規制ピン１は、位置規制ピン１を３本使用する方式のもののうち、その中央の１本に関する。図９から図１１に示すように、位置規制ピン１は、電子ビーム透過孔４のインライン配列方向に垂直な辺の少なくとも１辺と接していない。このような構成により、インライン配列方向に垂直な方向における位置規制を行い得ると同時に、インライン配列方向に平行な方向について電子ビーム透過孔の変形に対する対策が可能になる。
【００２６】
また、位置規制ピン１を図１２から図１４のいずれかに示すような形状にすることにより、インライン配列方向に平行な方向における位置規制を行い得ると同時に、インライン配列方向に垂直な方向について電子ビーム透過孔の変形に対する対策が可能になる。
【００２７】
【発明の効果】
以上のように、本発明のカラー受像管装置の組立て方法又は組立て装置によれば、制御電極に設けられたインライン配列された３つの矩形の電子ビーム透過孔の３つ全部又は外側の２つの孔に位置規制ピンを係合させ、かつ、位置規制ピンの外周部を電子ビーム透過孔の各辺のうち３辺のみに接触させ、インライン配列方向に直交する内側又は外側の辺のうち何れかの辺とは接触させないように構成したので、完成した電極部分を組立て装置（位置規制ピン）から取り外す際、位置規制ピンが電子ビーム透過孔の接触していない辺側に逃げ、電子ビーム透過孔の各辺に加わる力を低減させることができる。そのため、制御電極の板厚が薄い場合や電子ビーム透過孔の大きさが小さい場合、例えば制御電極の電子ビーム透過孔の短辺の長さが０．５ｍｍ以下、孔部分の板厚が０．０８ｍｍ以下のような場合であっても、電子ビーム透過孔の各辺に変形を生じるおそれが低減され、仮に変形を生じたとしてもその変形量をきわめて少なくすることができる。
【００２８】
その結果、電子ビーム透過孔の変形した電子銃を組込んだカラー受像管装置において、形成された電界レンズの歪みをきわめて小さくすることができ、画質の低下はほとんど生じない。また、電子ビーム透過孔の変形がなく、又はきわめて小さいため、電子銃特性を安定させることができる。さらに、制御電極部の位置規制ピンが他の部分に比べ細くなっていても、制御電極との接触の際、位置規制ピンに係る力が小さいため、位置規制ピンの折損を防止することができる。
【００２９】
また、電子ビーム透過孔と位置規制ピンとが係合した状態において、電子ビーム透過孔の辺と位置規制ピンとが係合している部分うち少なくとも一箇所以上において、各辺と位置規制ピンの外周部との間に空間を形成するように位置規制ピンの外周部に凹部を形成したので、各辺と位置規制ピンとが電子ビーム透過孔の各辺の周辺で接触し、仮に電子ビーム透過孔が変形したとしてもその変形量をきわめて少なくすることができる。
【図面の簡単な説明】
【図１】本発明のカラー受像管装置の組立て方法及び組立て装置の第１の実施例における位置規制ピンと電子ビーム透過孔の形状関係を示す図
【図２】第１の実施例における制御電極及びその電子ビーム透過孔と組立て装置における位置規制ピンとの関係の一例を示す図
【図３】第１の実施例における制御電極及びその電子ビーム透過孔と組立て装置における位置規制ピンとの関係の他の一例を示す図
【図４】本発明のカラー受像管装置の組立て方法及び組立て装置の第２の実施例における位置規制ピンと電子ビーム透過孔の形状関係を示す図
【図５】本発明のカラー受像管装置の組立て方法及び組立て装置の第３の実施例における位置規制ピンと電子ビーム透過孔の形状関係の一例を示す図
【図６】本発明のカラー受像管装置の組立て方法及び組立て装置の第３の実施例における位置規制ピンと電子ビーム透過孔の形状関係の他の一例を示す図
【図７】本発明のカラー受像管装置の組立て方法及び組立て装置の第３の実施例における位置規制ピンと電子ビーム透過孔の形状関係の他の一例を示す図
【図８】本発明のカラー受像管装置の組立て方法及び組立て装置の第３の実施例における位置規制ピンと電子ビーム透過孔の形状関係の他の一例を示す図
【図９】本発明のカラー受像管装置の組立て方法及び組立て装置の第４の実施例における位置規制ピンと電子ビーム透過孔の形状関係の一例を示す図
【図１０】本発明のカラー受像管装置の組立て方法及び組立て装置の第４の実施例における位置規制ピンと電子ビーム透過孔の形状関係の他の一例を示す図
【図１１】本発明のカラー受像管装置の組立て方法及び組立て装置の第４の実施例における位置規制ピンと電子ビーム透過孔の形状関係の他の一例を示す図
【図１２】本発明のカラー受像管装置の組立て方法及び組立て装置の第４の実施例における位置規制ピンと電子ビーム透過孔の形状関係の他の一例を示す図
【図１３】本発明のカラー受像管装置の組立て方法及び組立て装置の第４の実施例における位置規制ピンと電子ビーム透過孔の形状関係の他の一例を示す図
【図１４】本発明のカラー受像管装置の組立て方法及び組立て装置の第４の実施例における位置規制ピンと電子ビーム透過孔の形状関係の他の一例を示す図
【図１５】カラー受像管装置の電子銃組立て装置の一般的な構成を示す斜視図
【図１６】従来の位置規制ピンと電子ビーム透過孔の形状関係を示す図
【図１７】カラー受像管装置の電子銃の一般的な構成を示す斜視図
【図１８】電子ビーム透過孔の各辺と位置規制ピンの接触点の位置関係を示す図
【図１９】電子ビーム透過孔の各辺と位置規制ピンの接触点と変形量との関係の計算結果を示す図
【符号の説明】
１  ：位置規制ピン
３  ：制御電極
４  ：電子ビーム透過孔
４ａ：インライン配列方向に垂直な辺
４ｂ：インライン配列方向に垂直な辺
４ｃ：インライン配列方向に平行な辺
４ｄ：インライン配列方向に平行な辺
５  ：頂点
６  ：凹部
７  ：凹部
１２  ：加速電極
１３  ：集束電極
１４  ：最終加速電極
１８  ：陰極
【図１】
0003539700.tif 000002
【図２】
0003539700.tif 000003
【図３】
0003539700.tif 000004
【図４】
0003539700.tif 000005
【図５】
0003539700.tif 000006
【図６】
0003539700.tif 000007
【図７】
0003539700.tif 000008
【図８】
0003539700.tif 000009
【図９】
0003539700.tif 000010
【図１０】
0003539700.tif 000011
【図１１】
0003539700.tif 000012
【図１２】
0003539700.tif 000013
【図１３】
0003539700.tif 000014
【図１４】
0003539700.tif 000015
【図１５】
0003539700.tif 000016
【図１６】
0003539700.tif 000017
【図１７】
0003539700.tif 000018
【図１８】
0003539700.tif 000019
【図１９】
0003539700.tif 000020